(57)【要約】【課題】内容の機密性を保持して記録紙を送信する際、自動的にのり付けし二重折りに封緘して低廉化を図る。【解決手段】入口圧接ローラー１１と入口駆動ローラー１０が、上下２段で吸込口３内側の筐体１に軸支されている。出口圧接ローラー４１と出口駆動ローラー４０が上下２段で軸支され、モーターＭで駆動する下方の入口駆動ローラー１０と出口駆動ローラー４０が、ベルトＢを介し記録紙９の進行方向Ｓと同一方向に回転自在である。吸い込まれた記録紙９は、両端９１、９２がのり付け器Ｎでのり付けされて進み、ガイド体Ｇに誘導されて逆方向Ｔに移送され、感知部６０に記録紙９の先端９０が接触した際、駆動ローラー１０の回転は一時停止し、出口圧接ローラー４１が下方に移動され出口駆動ローラー４０との間で記録紙９は中途で挟み込まれた後、駆動ローラー１０が再駆動され、記録紙９は二重に折り畳まれ、のり付け封緘されて排出される。【選択図】    図６
2019048710.tif 000002
【特許請求の範囲】
【請求項１】
筐体前面の吸込口に対し平行な入口圧接ローラーと入口駆動ローラーが、上下２段配置で吸込口の内側の筐体に軸支されていると共に、筐体後面の排出口に対し平行な出口圧接ローラーと出口駆動ローラーが、上下２段配置で排出口の内側の筐体に軸支され、モーターで駆動する前記下方の入口駆動ローラーと出口駆動ローラーが、ベルトを介し記録紙の進行方向と同一方向に回転自在で、のり付け器とガイド体と感知部が筐体内に設置されて成り、吸込口から吸い込まれた記録紙は、その両端が前記のり付け器でのり付けされて進み、ガイド体に誘導されて筐体内で逆方向に移送され、前記感知部に当該記録紙の先端が接触した際、前記駆動ローラーの回転は一時停止し、出口圧接ローラーが下方に移動されて出口駆動ローラーとの間で当該記録紙は中途で挟み込まれた後、駆動ローラーが再駆動され、記録紙は二重に折り畳まれつつ、のり付け封緘されて排出口から排出される構成であることを特徴とする、記録紙の自動二重折りのり付け機。
【請求項２】
筐体の前面に吸込口、後面に排出口が開口され、筐体の内部に設置されたモーターで駆動する各駆動ローラーが、ベルトを介し記録紙の進行方向と同一方向に回転されて、吸込口から記録紙が吸い込まれ、二重折りの封緘状態で記録紙を排出自在な自動二重折りのり付け機であって、
ａ）前記吸込口の内側の下方で、入口駆動ローラーが筐体の左右内側面に軸支されていると共に、その入口駆動ローラーの直上位置で、記録紙を挟んで滑動する入口圧接ローラーが筐体の左右内側面に軸支され、逆方向に移送される記録紙の先端を感知して一時停止自在な感知部が、前記入口圧接ローラーの上部に設置されていること、
ｂ）前記入口駆動ローラーの先方に、第２駆動ローラーが筐体の左右内側面に軸支されていると共に、その第２駆動ローラーの左右の両端の直上位置に、移送された前記記録紙の左右両端の上面をのり付け自在なのり付け器が設置され、当該のり付け器より上方位置で、記録紙を移送する第２圧接ローラーが筐体の左右内側面に軸支されていること、
ｃ）前記排出口の内側の下方で、出口駆動ローラーが筐体の左右内側面に軸支されていると共に、その出口駆動ローラーの直上位置で、上下方向に移動して記録紙の挟み込みが自在な出口圧接ローラーが筐体の左右内側面に軸支されていること、
ｄ）排出口付近の筐体の内側面に、記録紙をやや上向きに誘導するガイド体が設置されていること、
ｅ）筐体の吸込口と排出口に対し平行配置の前記各ローラーを介して、吸込口から吸い込まれた記録紙は、その両端がのり付け器でのり付けされて進み、ガイド体に誘導されて筐体の後面内で逆方向に移送され、感知部に当該記録紙の先端が接触した際、駆動ローラーの回転は一時停止し、出口圧接ローラーが下方に移動されて出口駆動ローラーとの間で当該記録紙は中途で挟み込まれた後、駆動ローラーが再駆動され、記録紙は二重に折り畳まれつつ、のり付け封緘されて排出口から排出される構成であることを特徴とする、記録紙の自動二重折りのり付け機。
【請求項３】
筐体の吸込口から排出口に至る側面の長さが、Ａ４サイズの定型記録紙の縦方向の長さの半分より若干長く形成されていることを特徴とする、請求項１又は２に記載した記録紙の自動二重折りのり付け機。
【請求項４】
第２駆動ローラーと出口駆動ローラーとの間に、補助駆動ローラーが筐体の左右内側面に軸支されていると共に、その補助駆動ローラーの直上位置で筐体の左右内側面に軸支された補助中間ローラー、及び同補助中間ローラーの直上位置で筐体の左右内側面に軸支された補助圧接ローラーとの間で、記録紙が移送自在に構成されていることを特徴とする、請求項１〜３のいずれか１項に記載した記録紙の自動二重折りのり付け機。
【請求項５】
出口圧接ローラーは、その両端に歯車が設けられ、独立設置の第２モーターにより駆動自在で、且つ筐体の左右内側面の上下方向に形成されたスライド溝に軸支されていると共に、筐体の後面内側面に上下方向にラックが形成され、第２駆動モーターの駆動によって、前記出口圧接ローラーの歯車がラックに噛み合い当該出口圧接ローラーが上下方向に移動され、出口駆動ローラーとの間で記録紙が挟み込み自在であることを特徴とする、請求項１〜４のいずれか１項に記載した記録紙の自動二重折りのり付け機。
【請求項６】
のり付け器の交換自在な窓部が筐体の左右の側面に設けられており、テープ状等で成るのりを備えたのり付け器が、前記窓部を介して交換自在であることを特徴とする、請求項１〜５のいずれか１項に記載した記録紙の自動二重折りのり付け機。
【請求項７】
ガイド体は、筐体内で移送される記録紙の左右両端の下面を受けて誘導可能なように筐体の左右内側面に一対、それぞれ内向きに凸設され、且つ出口駆動ローラーの近傍でやや上向きに湾曲形成されていることを特徴とする、請求項１〜６のいずれか１項に記載した記録紙の自動二重折りのり付け機。
【請求項８】
左右一対のガイド体は、それぞれ内方に延びるラック付き水平腕部に接続され、前記左右一対の水平腕部は、中央に設置された中央歯車に螺合されており、記録紙の移送時に、中央歯車の回転又は水平腕部の外方への移動によって、左右一対のガイド体が記録紙の外方へ退避自在に構成されていることを特徴とする、請求項１〜７のいずれか１項に記載した記録紙の自動二重折りのり付け機。
【請求項９】
左右一対のガイド体は、それぞれ内方に延びるＬ字状の腕部の外端に設けられ、各Ｌ字状腕部の内端は共通の中央ピンに遊動自在に連結され、当該Ｌ字状腕部の折曲点が筐体の左右の内側面にピン連結されており、記録紙の移送時に、中央ピンの前方への移動によって、左右一対のガイド体が記録紙の外方へ退避自在に構成されていることを特徴とする、請求項１〜７のいずれか１項に記載した記録紙の自動二重折りのり付け機。
【請求項１０】
左右一対のガイド体は、それぞれ上方の固定ガイド体と下方の可動ガイド体の上下２分割で成り、前記固定ガイド体は、内側に湾曲部を備えて筐体の後面内側面に設置され、前記可動ガイド体は、内側に湾曲部を備えて出口圧接ローラーの左右両端同士を繋ぐ連結金具に設置され、出口圧接ローラーが上方に位置するとき、可動ガイド体の湾曲部と固定ガイド体の湾曲部に誘導されて記録紙は逆方向に移送され、一時停止後に、出口圧接ローラーと可動ガイド体が下方に同時移動されて筐体の排出口が開かれ、出口駆動ローラーとの間で挟み込まれた記録紙は二重に折り畳まれつつ、のり付け封緘されて排出口から排出自在に構成されていることを特徴とする、請求項１〜７のいずれか１項に記載した記録紙の自動二重折りのり付け機。
【請求項１１】
筐体の吸込口がファクシミリ装置の排出口に隣接する配置で、当該筐体が設置されることを特徴とする、請求項１〜１０のいずれか１項に記載した記録紙の自動二重折りのり付け機。
【発明の詳細な説明】
【技術分野】
【０００１】
本発明は、機密性を確保する記録紙の自動二重折りのり付け機に関し、特には、ファクシミリ装置で送信し排出されるＡ４サイズ等の定型記録紙たる信書を、自動的にのり付けして封緘する自動二重折りのり付け機の技術分野に属するものである。
【背景技術】
【０００２】
従来、記録紙を自動的にのり付けしつつ二重折りする簡便な装置はなく、これに関連し、機密を保持してファクシミリ装置で送信する二重紙として、特許文献１（特開平９−７１０６９号公報）に開示されたものがある。
【０００３】
すなわち、特許文献１には、「宛名記録領域（４）及び通信内容記録領域（５）を有する感熱記録紙（１）と、上記感熱記録紙（１）の表面に配置され、上記感熱記録紙（１）の通信内容記録領域（５）の透視を防止する被覆シート（２）と、上記被覆シート（２）を上記感熱記録紙（１）の表面に剥離可能に接着し、上記被覆シート（２）が一たび剥離された後はそれを再び接着することをしない、接着剤層（３）と、から成り、上記感熱記録紙（１）の上記通信内容記録領域（５）の裏面には、上記通信内容記録領域（５）に記録された通信内容がその裏面側から判読されることを防止する、緻密な模様（６）が印刷されている、秘密保持可能なファクシミリ用二重紙。」が記載されている（請求項１、符号は原文のとおり）。
【先行技術文献】
【特許文献】
【０００４】
【特許文献１】特開平９−７１０６９号公報
【発明の概要】
【発明が解決しようとする課題】
【０００５】
前記従来例は、現在一般的に汎用されているＡ４サイズ等の定型記録紙（普通紙）には適用されず不便である。すなわち、従来例の感熱記録紙（１）は、基紙の上に例えば２種類の化合物が塗布されて成るものであり、記録時には、２種類の化合物の一方が熱で溶けて他方と反応し、発色させる。接着剤層（３）は、被覆シート（２）を感熱記録紙（１）の表面に剥離可能に接着するが、一たび剥離された後はそれを再び接着するようなことはしない構成が必要である上、当該感熱記録紙（１）の裏面には、通信内容記録領域（５）に記録された通信内容を裏面から判読されないようにするため緻密な模様（６）を印刷する必要があって、手間やコストがかかる。
【０００６】
したがって、本発明の目的は、内容の機密性を保持して記録紙（普通紙）を送信する過程で、自動的にのり付けしつつ二重折りに封緘して低コストで機密化を図ること、とりわけファクシミリ装置で送信し排出された定型記録紙たる信書を、機密性を保持して送信相手に簡単且つ確実に届けることを実現した、記録紙の自動二重折りのり付け機を提供することである。
【課題を解決するための手段】
【０００７】
課題を解決するための手段として、請求項１に記載の記録紙の自動二重折りのり付け機は、筐体前面２の吸込口３に対し平行な入口圧接ローラー１１と入口駆動ローラー１０が、上下２段配置で吸込口３の内側の筐体１に軸支されていると共に、筐体後面４の排出口６に対し平行な出口圧接ローラー４１と出口駆動ローラー４０が、上下２段配置で排出口６の内側の筐体１に軸支され、モーターＭで駆動する前記下方の入口駆動ローラー１０と出口駆動ローラー４０が、ベルトＢを介し記録紙９の進行方向Ｓと同一方向に回転自在で、のり付け器Ｎとガイド体Ｇと感知部６０が筐体１内に設置されて成り、吸込口３から吸い込まれた記録紙９は、その両端９１、９２が前記のり付け器Ｎでのり付けされて進み、ガイド体Ｇに誘導されて筐体１内で逆方向Ｔに移送され、前記感知部６０に当該記録紙９の先端９０が接触した際、前記駆動ローラー１０、４０の回転は一時停止し、出口圧接ローラー４１が下方に移動されて出口駆動ローラー４０との間で当該記録紙９は中途で挟み込まれた後、駆動ローラー１０、４０が再駆動され、記録紙９は二重に折り畳まれつつ、のり付け封緘されて排出口６から排出される構成である。
【０００８】
請求項２に記載の記録紙の自動二重折りのり付け機は、筐体１の前面２に吸込口３、後面４に排出口６が開口され、筐体１の内部に設置されたモーターＭで駆動する各駆動ローラー１０、２０、４０が、ベルトＢを介し記録紙９の進行方向Ｓと同一方向に回転されて、吸込口３から記録紙９が吸い込まれ、二重折りの封緘状態で記録紙９を排出自在な自動二重折りのり付け機であって、
ａ）前記吸込口３の内側の下方で、入口駆動ローラー１０が筐体１の左右内側面７０、８０に軸支されていると共に、その入口駆動ローラー１０の直上位置で、記録紙９を挟んで滑動する入口圧接ローラー１１が筐体１の左右内側面７０、８０に軸支され、逆方向Ｔに移送される記録紙９の先端９０を感知して一時停止自在な感知部６０が、前記入口圧接ローラー１１の上部に設置されていること、
ｂ）前記入口駆動ローラー１０の先方に、第２駆動ローラー２０が筐体１の左右内側面７０、８０に軸支されていると共に、その第２駆動ローラー２０の左右の両端２０ａ、２０ｂの直上位置Ｐに、移送された前記記録紙９の左右両端９１、９２の上面９３をのり付け自在なのり付け器Ｎが設置され、当該のり付け器Ｎより上方位置で、記録紙９を移送する第２圧接ローラー２１が筐体１の左右内側面７０、８０に軸支されていること、
ｃ）前記排出口６の内側の下方で、出口駆動ローラー４０が筐体１の左右内側面７０、８０に軸支されていると共に、その出口駆動ローラー４０の直上位置で、上下方向に移動して記録紙９の挟み込みが自在な出口圧接ローラー４１が筐体１の左右内側面７０、８０に軸支されていること、
ｄ）排出口６付近の筐体１の内側面に、記録紙９をやや上向きに誘導するガイド体Ｇが設置されていること、
ｅ）筐体１の吸込口３と排出口６に対し平行配置の前記各ローラー１０、１１、２０、２１、４０、４１を介して、吸込口３から吸い込まれた記録紙９は、その両端９１、９２がのり付け器Ｎでのり付けされて進み、ガイド体Ｇに誘導されて筐体１の後面４内で逆方向Ｔに移送され、感知部６０に当該記録紙９の先端９０が接触した際、駆動ローラー１０、２０、４０の回転は一時停止し、出口圧接ローラー４１が下方に移動されて出口駆動ローラー４０との間で当該記録紙９は中途で挟み込まれた後、駆動ローラー１０、２０、４０が再駆動され、記録紙９は二重に折り畳まれつつ、のり付け封緘されて排出口６から排出される構成である。
【０００９】
請求項３に記載の記録紙の自動二重折りのり付け機は、前記筐体１の吸込口３から排出口６に至る側面７、８の長さが、Ａ４サイズの定型記録紙９の縦方向の長さの半分より若干長く形成されている。
【００１０】
請求項４に記載の記録紙の自動二重折りのり付け機は、前記第２駆動ローラーと２０出口駆動ローラー４０との間に、補助駆動ローラー３０が筐体１の左右内側面７０、８０に軸支されていると共に、その補助駆動ローラー３０の直上位で置筐体１の左右内側面７０、８０に軸支された補助中間ローラー３２、及び同補助中間ローラー３２の直上位置で筐体１の左右内側面７０、８０に軸支された補助圧接ローラー３１との間で、記録紙９が移送自在に構成されている。
【００１１】
請求項５に記載の記録紙の自動二重折りのり付け機は、前記出口圧接ローラー４１が、その両端４１ａ、４１ｂに歯車４２が設けられ、独立設置の第２モーターＭ２により駆動自在で、且つ筐体１の左右内側面７０、８０の上下方向に形成されたスライド溝７１、８１に軸支されていると共に、筐体１の後面内側面５に上下方向にラック５０が形成され、第２駆動モーターの駆動Ｍ２によって、前記出口圧接ローラー４１の歯車４２がラック５０に噛み合い当該出口圧接ローラー４１が上下方向に移動され、出口駆動ローラー４０との間で記録紙９が挟み込み自在である。
【００１２】
請求項６に記載の記録紙の自動二重折りのり付け機は、前記のり付け器Ｎの交換自在な窓部７２、８２が筐体１の左右の側面７、８に設けられており、テープ状等で成るのりを備えたのり付け器Ｎが、前記窓部７２、８２を介して交換自在である。
【００１３】
請求項７に記載の記録紙の自動二重折りのり付け機は、前記ガイド体Ｇが、筐体１内で移送される記録紙９の左右両端９１、９２の下面９４を受けて誘導可能なように筐体１の左右内側面７０、８０に一対、それぞれ内向きに凸設され、且つ出口駆動ローラー４０の近傍でやや上向きに湾曲形成されている。
【００１４】
請求項８に記載の記録紙の自動二重折りのり付け機は、前記左右一対のガイド体Ｇ、Ｇが、それぞれ内方に延びるラック１０１付き水平腕部１００に接続され、前記左右一対の水平腕部１００、１００は、中央に設置された中央歯車１０２に螺合されており、記録紙９の移送時に、中央歯車１０２の回転又は水平腕部１００の外方への移動によって、左右一対のガイド体Ｇ、Ｇが記録紙９の外方へ退避自在に構成されている。
【００１５】
請求項９に記載の記録紙の自動二重折りのり付け機は、前記左右一対のガイド体Ｇ、Ｇが、それぞれ内方に延びるＬ字状の腕部１０３の外端１０４に設けられ、各Ｌ字状腕部１０３の内端１０５は共通の中央ピン１０７に遊動自在に連結され、当該Ｌ字状腕部１０３の折曲点１０８が筐体１の左右の内側面７、８にピン１０９で連結されており、記録紙９の移送時に、中央ピン１０７の前方への移動によって、左右一対のガイド体Ｇ、Ｇが記録紙９の外方へ退避自在に構成されている。
【００１６】
請求項１０に記載の記録紙の自動二重折りのり付け機は、前記左右一対のガイド体Ｇ、Ｇが、それぞれ上方の固定ガイド体２００と下方の可動ガイド体２０１の上下２分割で成り、前記固定ガイド体２００は、内側に湾曲部２０２を備えて筐体１の後面内側面５に設置され、前記可動ガイド体２０１は、内側に湾曲部２０３を備えて出口圧接ローラー４１の左右両端４１ａ、４１ｂ同士を繋ぐ連結金具２０５に設置され、出口圧接ローラー４１が上方に位置するとき、可動ガイド体２０１の湾曲部２０３と固定ガイド体２００の湾曲部２０２に誘導されて記録紙９は逆方向Ｔに移送され、一時停止後に、出口圧接ローラー４１と可動ガイド体２０１が下方に同時移動されて筐体１の排出口６が開かれ、出口駆動ローラー４０との間で挟み込まれた記録紙９は二重に折り畳まれつつ、のり付け封緘されて排出口６から排出自在に構成されている。
【００１７】
請求項１１に記載の記録紙の自動二重折りのり付け機は、前記筐体１の吸込口３がファクシミリ装置の排出口に隣接する配置で、当該筐体１が設置される。
【発明の効果】
【００１８】
本発明の記録紙の自動二重折りのり付け機は、請求項１、２のように、筐体前面の吸込口に対し平行な入口圧接ローラーと入口駆動ローラーが、上下２段配置で吸込口の内側の筐体に軸支されていると共に、筐体後面の排出口に対し平行な出口圧接ローラーと出口駆動ローラーが、上下２段配置で排出口の内側の筐体に軸支され、モーターで駆動する前記下方の入口駆動ローラーと出口駆動ローラーが、ベルトを介し記録紙の進行方向と同一方向に回転自在で、のり付け器とガイド体と感知部が筐体内に設置されて成るので、吸込口から吸い込まれた記録紙（Ａ４等の普通紙）は、その両端が前記のり付け器でのり付けされて進み、ガイド体に誘導されて筐体内で逆方向に移送され、感知部に当該記録紙の先端が接触した際、駆動ローラーの回転は一時停止し、出口圧接ローラーが下方に移動されて出口駆動ローラーとの間で当該記録紙は中途で挟み込まれた後、駆動ローラーが再駆動され、記録紙は二重に折り畳まれつつ、のり付け封緘されて排出口から排出され、機密性が確保された記録紙たる信書の受信者への到達が実現され便利である。
【００１９】
また、筐体の吸込口から排出口に至る側面の長さが、Ａ４サイズの定型記録紙の縦方向の長さの半分より若干長く形成されているため（請求項３）、当該Ａ４サイズの定型記録紙が筐体の中で反転しやすい上、全体のコンパクトサイズ化が実現された。
【００２０】
さらに、請求項４のように、第２駆動ローラーと出口駆動ローラーとの間に軸支された補助駆動ローラーがあり、その直上位置に軸支された補助中間ローラー及び同補助中間ローラーの直上位置に軸支された補助圧接ローラーとの間で、記録紙が進行方向Ｓ又は逆方向Ｔへと確実に移送される。
【００２１】
そして、出口圧接ローラーは、両端に歯車が設けられ、第２モーターにより駆動自在で、筐体の左右内側面のスライド溝に軸支されていると共に、筐体の後面内側面にラックが形成されているから（請求項５）、第２駆動モーターの駆動によって、出口圧接ローラーの歯車がラックに噛み合い当該出口圧接ローラーが上下方向に移動され、出口駆動ローラーとの間で記録紙をしっかりと挟み込み、封緘状態の記録紙の排出が達成される。
【００２２】
しかも、筐体の左右の側面に、のり付け器の交換自在な窓部が設けられているから（請求項６）、テープ状等で成るのりを備えたのり付け器が、前記窓部を介して交換でき便利である。
【００２３】
その上、ガイド体が、筐体内で移送される記録紙の左右両端の下面を受けて誘導可能なように筐体の左右内側面に内向きに凸設され、且つ出口駆動ローラーの近傍でやや上向きに湾曲形成されているので（請求項７）、筐体内で安定して記録紙を進行方向に移送すると共に、反転して逆方向に移送する際に支障がない。
【００２４】
また、左右一対のガイド体が、ラック付き水平腕部に接続され、中央歯車の回転や水平腕部の外方移動により、記録紙の外方へガイド体が退避自在な退避機構（請求項８）や、ガイド体がＬ字状腕部の外端に設けられ、内端は中央ピンに遊動自在で、中央ピンの移動により、ガイド体が記録紙の外方へ退避する退避機構（請求項９）を採用することで、当該ガイド体が邪魔になることなく、記録紙はスムーズに移送される。
【００２５】
あるいは、左右一対のガイド体を上下２分割し、上方は固定ガイド体で筐体に固定し、下方の可動ガイド体は、出口圧接ローラーの左右両端同士を繋ぐ連結金具に設置した機構によれば（請求項１０）、出口圧接ローラーの下降時に可動ガイド体が同時下降するので、動力源を増やすことなく筐体の排出口が開かれ、二重に折り畳まれてのり付け封緘された記録紙を、排出口から確実に排出できて合理性である。
【００２６】
上記筐体は、その吸込口がファクシミリ装置の排出口に隣接する配置で設置することにより（請求項１１）、既存のファクシミリ装置の外付け機として簡単に使用できる利便性に優れている。
【図面の簡単な説明】
【００２７】
【図１】本発明の記録紙の自動二重折りのり付け機の主要な内部構造を示した斜視図である。
【図２】記録紙の自動二重折りのり付け機の説明図である。
【図３】のり付け要領を示した斜視図である。
【図４】出口圧接ローラーの仕組みを示した斜視図である。
【図５】Ａ、Ｂ、Ｃは、記録紙の異なる一時停止位置を示した説明図である。
【図６】Ａは記録紙の吸込みとのり付け、Ｂは同記録紙の折り返し要領を示した説明図である。
【図７】Ａは記録紙の逆方向への移送、Ｂは同記録紙の一時停止要領を示した説明図である。
【図８】Ａは記録紙の二重折り開始、Ｂは同記録紙の排出要領を示した説明図である。
【図９】記録紙の排出の最終段階を示した説明図である。
【図１０】Ａ、Ｂはガイド体の退避機構の動作要領を示した説明図である。
【図１１】Ａ、Ｂはガイド体の異なる退避機構の動作要領を示した説明図である。
【図１２】出口圧接ローラーと可動ガイド体の構造を示した斜視図である。
【図１３】Ａ、Ｂは可動ガイド体の動作要領を示した説明図である。
【発明を実施するための最良の形態】
【００２８】
本発明の記録紙の自動二重折りのり付け機の好適な実施形態を、以下図面にしたがって説明する。
【００２９】
本実施形態の自動二重折りのり付け機の基本構造を、図１に示した。前面２に吸込口３、後面４に排出口６を有する筐体１の中に、駆動ローラー１０、２０・・・等のローラーやのり付け器Ｎ等が設置され、吸込口３から吸い込まれた普通紙の定型記録紙９が、二重折りの封緘状態で排出口６から排出されるものである（図６、図９参照）。
【００３０】
筐体１は、幅が２２０ｍｍ、奥行きが１５４ｍｍ、高さが３０ｍｍのコンパクトサイズの箱型に形成されている。すなわち、この奥行は、筐体１の吸込口３から排出口６に至る側面７、８の長さであり、Ａ４サイズの定型記録紙９の縦方向の長さ＝２９７ｍｍの半分（１４８．５ｍｍ）より若干長く形成されている。前記筐体１の幅は、Ａ４サイズの定型記録紙９の横方向の長さ２１０ｍｍより若干長く形成されている。
【００３１】
そして、当該筐体１の前面２に、Ａ４サイズの定型記録紙９を吸い込めるように、吸込口３（幅×高さ＝２１７ｍｍ×１００ｍｍ）が開口して形成され、同様に、Ａ４サイズの定型記録紙９を排出できるように、後面４に排出口６（幅×高さ＝２１７ｍｍ×１００ｍｍ）が開口して形成されている。
【００３２】
前記吸込口３の内側の下方に、φ＝１０ｍｍで全長＝２１５ｍｍの円筒状の入口駆動ローラー１０の両端が、筐体１の左右の内側面７０、８０に軸支されている（詳細図は省略）。その入口駆動ローラー１０の上方の直上位置で、記録紙９を挟んで滑動する円筒状の入口圧接ローラー１１（φ＝１０ｍｍで全長＝２１５ｍｍ）の両端が、筐体１の左右内側面７０、８０に軸支されている。そして、逆方向Ｔに移送される記録紙９の先端９０を感知して一時停止自在な感知部６０が、前記入口圧接ローラー１１の上部に設置されている。
【００３３】
感知部６０は、図２に示したように、筐体１の前面２の幅寸より若干長く、左右両端にレバー６１、６１を備えた棒状に形成されている。そして、入口圧接ローラー１０の上部における筐体１の左右側面７、８が、水平方向に開口された長円形状の貫通孔７３、８３に形成され、前記棒状感知部６０の両端のレバー６１、６１が前記貫通孔７３、８３に各々突き出されている。よって、当該レバー６１を移動することで、棒状の感知部６０が前後に移動し、逆送される記録紙９の先端９０の位置を感知する位置を変動することができる。
【００３４】
すなわち、図５Ａのように、感知部６０のレバー６１を右端にセットした場合は、後述の逆方向Ｔに移送されるＡ４版の記録紙９の上半部をなす上面９３の先端９０が、当該記録紙９の下半部をなす下面９４の終端９５より長さｋの範囲分だけ若干突き出て残した状態で、記録紙９は最終的に二重に折り畳まれ排出される。よって、このｋ範囲に印字される受信者名や送信者名を表示することができ、封緘された当該記録紙９（信書）を受信者に確実に届けられる。
【００３５】
図５Ｂのように、感知部６０のレバー６１を中央にセットした場合は、逆送されるＡ４版の記録紙９の上半部をなす上面９３の先端９０が、当該記録紙９の下半部をなす下面９４の終端９５と同じになり、記録紙９は完全な封緘状態で、二重に折り畳まれ排出される。
【００３６】
また、図５Ｃのように、感知部６０のレバー６１を左端にセットした場合は、逆送されるＡ４版の記録紙９の上半部をなす上面９３の先端９０が、当該記録紙９の下半部をなす下面９４の終端９５より長さｋの範囲分だけ若干引いた状態で、最終的には二重に折り畳まれ排出される。前記図５Ａのように、このｋ範囲に印字される受信者名や送信者名を表示することができる。
【００３７】
上述した入口駆動ローラー１０の同一レベルの先方に、円筒状の第２駆動ローラー２０（φ＝１０ｍｍで全長＝２１５ｍｍ）が筐体１の左右内側面７０、８０に軸支されている。
【００３８】
その第２駆動ローラー２０の左右の両端２０ａ、２０ｂの直上位置Ｐに、移送された前記記録紙９の左右両端９１、９２の上面９１ａ、９２ａをのり付け自在な左右のテープのりｎ、ｎを備えたのり付け器Ｎが設置されている（図３）。本実施形態の場合、のり付け器Ｎはテープ状のりが好適であるが、これに限定されず液状のり等であってもよい。そして、当該のり付け器Ｎより上方の直上位置で、記録紙９を移送する円筒状の第２圧接ローラー２１（φ＝１０ｍｍで全長＝２１５ｍｍ）が筐体１の左右内側面７、８に軸支されている。
【００３９】
前記のり付け器Ｎの位置に対応する筐体１の左右の側面７、８の位置に、窓部７２、８２が設けられている。よって、テープ状等で成るのりを備えたのり付け器Ｎが、前記窓部７２、８２を介して交換自在である。
【００４０】
上述の第２駆動ローラーと、後述する２０出口駆動ローラー４０との間に、円筒状の補助駆動ローラー３０（φ＝１０ｍｍで全長＝２１５ｍｍ）の両端が、筐体１の左右内側面７０、８０に軸支されている。この補助駆動ローラー３０を駆動するモーターＭが、当該補助駆動ローラー３０の端部近傍の筐体１内に設置されている（図２）。
【００４１】
前記の補助駆動ローラー３０の直上位置において、筐体１の左右内側面７０、８０に軸支された円筒状の補助中間ローラー３２（φ＝１０ｍｍで全長＝２１５ｍｍ）があり、また同補助中間ローラー３２の直上位置で、同様に筐体１の左右内側面７０、８０に軸支された円筒状の補助圧接ローラー３１（φ＝１０ｍｍで全長＝２１５ｍｍ）との間で、記録紙９が移送自在とされている。
【００４２】
補助駆動ローラー３０の同一レベルの先方で、筐体１の排出口６の内側の下方位置に、円筒状の出口駆動ローラー４０（φ＝１０ｍｍで全長＝２１５ｍｍ）の両端が、筐体１の左右内側面７０、８０に軸支されている。この出口駆動ローラー４０と上記入口駆動ローラー１０との間でベルトＢが巻装され、よって、その中間の第２駆動ローラー２０及び補助駆動ローラー３０も前記ベルトＢで動力が伝達可能となっている。本実施形態では、前記のように補助駆動ローラー３０を駆動するモーターＭの作動により、各駆動ローラー１０、２０、３０、４０が同一方向に一斉に駆動される構成となっている（図１等参照）。
【００４３】
この出口駆動ローラー４０の直上位置で、上下方向に移動して記録紙９の挟み込みが自在な出口圧接ローラー４１の両端（４１ａ、４１ｂ）が、同様に筐体１の左右内側面７０、８０に軸支されている。当該出口圧接ローラー４１の両端４１ａ、４１ｂには、歯車４２が回転方向に複数形成されている。伸縮自在なベルトＢを介して、筐体１内で独立設置の第２モーターＭ２により、出口圧接ローラー４１は独立に駆動自在である（図４）。
【００４４】
出口駆動ローラー４０の直上位置における筐体１の左右内側面７０、８０の上下方向に、スライド溝７１、８１が形成され、このスライド溝７１、８１に出口圧接ローラー４１の左端４１ａと右端４１ｂは軸支されている。と共に、筐体１の後面４の左右いずれかの内側面５に、上下方向にラック５０が形成されている。よって、第２駆動モーターの駆動Ｍ２によって、前記出口圧接ローラー４１の歯車４２がラック５０に噛み合って当該出口圧接ローラー４１が上下方向に移動され、出口駆動ローラー４０との間で記録紙９が挟み込み自在に構成されている（図１３参照）。
【００４５】
筐体１の排出口６付近の左右内側面７０、８０に、記録紙９の先端９０をやや上向きに誘導するガイド体Ｇ、Ｇが設置されている。このガイド体Ｇ、Ｇは、筐体１内で移送される記録紙９の左右両端９１、９２の下面９４を受けて誘導可能なように筐体１の左右内側面７０、８０に内向きに凸設され、且つ出口駆動ローラー４０の近傍でやや上向きに湾曲して形成されている（図６、図４）。
【００４６】
次に、記録紙９の移送途中で、ガイド体Ｇを退避する機構について説明する。
【００４７】
図１０は、歯車とラックを使用した退避機構である。左右一対のガイド体Ｇ、Ｇは、それぞれ内方に１４０ｍｍ延びるラック１０１付きの水平腕部１００に接続されている。各ラック１０１は、相互に対向するように各水平腕部に１００に形成されている。ガイド体Ｇ、Ｇ間の中央位置における筐体１の上面（図示は省略）に、中央歯車１０２が取り付けられ、前記左右一対の水平腕部１００、１００は、中央歯車１０２に螺合されている。
【００４８】
したがって、記録紙９の折り返し移送時に、図示を省略したモーターの作動で中央歯車１０２を回転させれば、左右一対のガイド体Ｇ、Ｇが記録紙９の外方へ退避される。或いは、いずれか一方の水平腕部１００を外方へ移動させることによっても、左右一対のガイド体Ｇ、Ｇは記録紙９の外方へ退避され、記録紙９が移送される際に当該ガイド体Ｇ、Ｇが邪魔にならない。
【００４９】
図１１は、異なる退避機構例を示している。
【００５０】
左右一対のガイド体Ｇ、Ｇが、それぞれ内方に延びるＬ字状の腕部１０３の外端１０４に一体化して設けられている。当該Ｌ字状腕部１０３の折曲点１０８は、筐体１の左右の内側面７、８にピン１０９で連結されている。また、Ｌ字状腕部１０３の内端１０５には、長円形状の貫通孔１０６が形成されている。
【００５１】
一方、ガイド体Ｇ、Ｇ間の中央位置における筐体１の上面（図示は省略）に、中央ピン１０７と一体となった基台１０７ａが前後方向に移動自在に取り付けられている。かくして、各Ｌ字状腕部１０３の内端１０５（貫通孔１０６）は、共通の中央ピン１０７に遊動自在に連結されているので、記録紙９の移送時に、中央ピン１０７（基台１０７ａ）の前方への移動により、左右一対のガイド体Ｇ、Ｇは、ピン１０９を支点として記録紙９の外方へ退避自在になっている。
【００５２】
図１２と図１３は、ガイド体Ｇの異なる実施形態を示している。
【００５３】
各ガイド体Ｇ、Ｇはそれぞれ上下に２分割され、ガイド体の退避に伴う独立の動力源は不要のタイプである。
【００５４】
すなわち、左右一対のガイド体Ｇ、Ｇは、それぞれ上方の固定ガイド体２００と下方の可動ガイド体２０１の上下２分割で成り、前記固定ガイド体２００は、内側に斜め下方向きの湾曲部２０２を備えて筐体１の後面内側面５に固定されている。可動ガイド体２０１は、内側に斜め上方向きの湾曲部２０３を備えて、出口圧接ローラー４１の左右両端４１ａ、４１ｂ同士を繋ぐ横長の連結金具２０５に設置され、上下方向に移動自在となっている。図中符号２０６は、前記連結金具２０５の上下移動を維持する支持部材で、筐体１の後面内側面５に設置されている。
【００５５】
出口圧接ローラー４１と出口駆動ローラー４０は、それぞれ両端が分割されている。出口圧接ローラー４１は、中央のローラー４１ｃとその両端で分割された左右のローラー４１ｄ、４１ｅで成り、出口駆動ローラー４０は、中央のローラー４０ｃとその両端で分割された左右のローラー４０ｄ、４０ｅで成る。かくして、中央のローラー４１ｃ（４０ｃ）と左右のローラー４１ｄ、４１ｅ（４０ｄ、４０ｅ）の隙間に、前記上下の固定ガイド体２００と可動ガイド体２０１が各々設置されている。
【００５６】
したがって、図１３Ａに示した出口圧接ローラー４１が上方に位置するとき、可動ガイド体２０１の湾曲部２０３と固定ガイド体２００の湾曲部２０２に誘導されて、記録紙９は逆方向Ｔに移送される。そして、当該記録紙９が一時停止された後（図５参照）、図１３Ｂに示したように、出口圧接ローラー４１と共に可動ガイド体２０１が下方に同時に移動し、記録紙９が排出される筐体１の排出口６の開口状態が確保される。よって、出口駆動ローラー４０との間で挟み込まれた記録紙９は、二重の折り畳み状態でのり付け封緘され、排出口６から排出する際に支障がない。
【００５７】
以下に、当該記録紙の自動二重折りのり付け機の使用方法について説明する。
【００５８】
筐体１の吸込口３から進行方向Ｓに吸い込まれた記録紙９は、その両端９１、９２がのり付け器Ｎでのり付けされて前方へ進む（図６Ａ、図３）。当該記録紙９は、ガイド体Ｇに誘導されて筐体１の後面４内で逆方向Ｔに移送される（図６Ｂ、図７Ａ、図４）。
【００５９】
そして、感知部６０に当該記録紙９の先端９０が接触した際、駆動ローラー１０、２０、４０の回転は一時停止する（図７Ｂ、図５）。と同時に、出口圧接ローラー４１が下方に移動されて出口駆動ローラー４０との間で当該記録紙９は中途で挟み込まれると（図８Ａ）、駆動ローラー１０、２０、３０、４０が再駆動され、記録紙９は二重に折り畳まれつつ、のり付け封緘されて排出口６から排出される（図８Ｂ、図９）。
【００６０】
上述した自動二重折りのり付け機は、その筐体１の吸込口３が、図示を省略したファクシミリ装置の排出口に隣接する配置に設置する形態で好適に実施される。もちろん、当該自動二重折りのり付け機を単独で使用する実施形態も採用される。
【００６１】
以上に本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００６２】
１      筐体
１０    入口駆動ローラー
１１    入口圧接ローラー
２０    第２駆動ローラー
２１    第２圧接ローラー
３０    補助駆動ローラー
３１    補助圧接ローラー
３２    補助中間ローラー
４０    出口駆動ローラー
４１    出口圧接ローラー
４２    歯車
２      前面
３      吸込口
４      後面
５      後面内側面
５０    ラック
６０    感知部
６１    レバー
６      排出口
７      左側面
７１    スライド溝
７２    窓部
７３    貫通孔
８      右側面
８１    スライド溝
８２    窓部
８３    貫通孔
９      記録紙
９０    先端
９１    左端
９２    右端
９３    上面
９４    下面
１００  水平腕部
２００  固定ガイド体
２０１  可動ガイド体
２０５  連結金具
Ｓ      進行方向
Ｔ      逆方向
Ｇ      ガイド体
Ｎ      のり付け器
Ｂ      ベルト
Ｍ      モーター
【図１】
2019048710.tif 000003
【図２】
2019048710.tif 000004
【図３】
2019048710.tif 000005
【図４】
2019048710.tif 000006
【図５】
2019048710.tif 000007
【図６】
2019048710.tif 000008
【図７】
2019048710.tif 000009
【図８】
2019048710.tif 000010
【図９】
2019048710.tif 000011
【図１０】
2019048710.tif 000012
【図１１】
2019048710.tif 000013
【図１２】
2019048710.tif 000014
【図１３】
2019048710.tif 000015
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
筐体の前面に吸込口、後面に排出口が開口され、筐体の内部に設置されたモーターで駆動する各駆動ローラーが、ベルトを介し記録紙の進行方向と同一方向に回転されて、吸込口から記録紙が吸い込まれ、二重折りの封緘状態で記録紙を排出自在な自動二重折りのり付け機であって、
ａ）前記吸込口の内側の下方で、入口駆動ローラーが筐体の左右内側面に軸支されていると共に、その入口駆動ローラーの直上位置で、記録紙を挟んで滑動する入口圧接ローラーが筐体の左右内側面に軸支され、逆方向に移送される記録紙の先端を感知して一時停止自在な感知部が、前記入口圧接ローラーの上部に設置されていること、
ｂ）前記入口駆動ローラーの先方に、第２駆動ローラーが筐体の左右内側面に軸支されていると共に、その第２駆動ローラーの左右の両端の直上位置に、移送された前記記録紙の左右両端の上面をのり付け自在なのり付け器が設置され、当該のり付け器より上方位置で、記録紙を移送する第２圧接ローラーが筐体の左右内側面に軸支されていること、
ｃ）前記排出口の内側の下方で、出口駆動ローラーが筐体の左右内側面に軸支されていると共に、その出口駆動ローラーの直上位置で、上下方向に移動して記録紙の挟み込みが自在な出口圧接ローラーが筐体の左右内側面に軸支されていること、
ｄ）排出口付近の筐体の内側面に、記録紙をやや上向きに誘導するガイド体が設置されていること、
ｅ）筐体の吸込口と排出口に対し平行配置の前記各ローラーを介して、吸込口から吸い込まれた記録紙は、その両端がのり付け器でのり付けされて進み、ガイド体に誘導されて筐体の後面内で逆方向に移送され、感知部に当該記録紙の先端が接触した際、駆動ローラーの回転は一時停止し、出口圧接ローラーが下方に移動されて出口駆動ローラーとの間で当該記録紙は中途で挟み込まれた後、駆動ローラーが再駆動され、記録紙は二重に折り畳まれつつ、のり付け封緘されて排出口から排出される構成であることを特徴とする、記録紙の自動二重折りのり付け機。
【請求項２】
筐体の吸込口から排出口に至る側面の長さが、Ａ４サイズの定型記録紙の縦方向の長さの半分より若干長く形成されていることを特徴とする、請求項１に記載した記録紙の自動二重折りのり付け機。
【請求項３】
第２駆動ローラーと出口駆動ローラーとの間に、補助駆動ローラーが筐体の左右内側面に軸支されていると共に、その補助駆動ローラーの直上位置で筐体の左右内側面に軸支された補助中間ローラー、及び同補助中間ローラーの直上位置で筐体の左右内側面に軸支された補助圧接ローラーとの間で、記録紙が移送自在に構成されていることを特徴とする、請求項１又は２に記載した記録紙の自動二重折りのり付け機。
【請求項４】
出口圧接ローラーは、その両端に歯車が設けられ、独立設置の第２モーターにより駆動自在で、且つ筐体の左右内側面の上下方向に形成されたスライド溝に軸支されていると共に、筐体の後面内側面に上下方向にラックが形成され、第２駆動モーターの駆動によって、前記出口圧接ローラーの歯車がラックに噛み合い当該出口圧接ローラーが上下方向に移動され、出口駆動ローラーとの間で記録紙が挟み込み自在であることを特徴とする、請求項１〜３のいずれか１項に記載した記録紙の自動二重折りのり付け機。
【請求項５】
のり付け器の交換自在な窓部が筐体の左右の側面に設けられており、テープ状等で成るのりを備えたのり付け器が、前記窓部を介して交換自在であることを特徴とする、請求項１〜４のいずれか１項に記載した記録紙の自動二重折りのり付け機。
【請求項６】
ガイド体は、筐体内で移送される記録紙の左右両端の下面を受けて誘導可能なように筐体の左右内側面に一対、それぞれ内向きに凸設され、且つ出口駆動ローラーの近傍でやや上向きに湾曲形成されていることを特徴とする、請求項１〜５のいずれか１項に記載した記録紙の自動二重折りのり付け機。
【請求項７】
左右一対のガイド体は、それぞれ内方に延びるラック付き水平腕部に接続され、前記左右一対の水平腕部は、中央に設置された中央歯車に螺合されており、記録紙の移送時に、中央歯車の回転又は水平腕部の外方への移動によって、左右一対のガイド体が記録紙の外方へ退避自在に構成されていることを特徴とする、請求項１〜６のいずれか１項に記載した記録紙の自動二重折りのり付け機。
【請求項８】
左右一対のガイド体は、それぞれ内方に延びるＬ字状の腕部の外端に設けられ、各Ｌ字状腕部の内端は共通の中央ピンに遊動自在に連結され、当該Ｌ字状腕部の折曲点が筐体の左右の内側面にピン連結されており、記録紙の移送時に、中央ピンの前方への移動によって、左右一対のガイド体が記録紙の外方へ退避自在に構成されていることを特徴とする、請求項１〜６のいずれか１項に記載した記録紙の自動二重折りのり付け機。
【請求項９】
左右一対のガイド体は、それぞれ上方の固定ガイド体と下方の可動ガイド体の上下２分割で成り、前記固定ガイド体は、内側に湾曲部を備えて筐体の後面内側面に設置され、前記可動ガイド体は、内側に湾曲部を備えて出口圧接ローラーの左右両端同士を繋ぐ連結金具に設置され、出口圧接ローラーが上方に位置するとき、可動ガイド体の湾曲部と固定ガイド体の湾曲部に誘導されて記録紙は逆方向に移送され、一時停止後に、出口圧接ローラーと可動ガイド体が下方に同時移動されて筐体の排出口が開かれ、出口駆動ローラーとの間で挟み込まれた記録紙は二重に折り畳まれつつ、のり付け封緘されて排出口から排出自在に構成されていることを特徴とする、請求項１〜６のいずれか１項に記載した記録紙の自動二重折りのり付け機。
【請求項１０】
筐体の吸込口がファクシミリ装置の排出口に隣接する配置で、当該筐体が設置されることを特徴とする、請求項１〜９のいずれか１項に記載した記録紙の自動二重折りのり付け機。
【手続補正２】
【補正対象書類名】明細書
【補正対象項目名】全文
【補正方法】変更
【補正の内容】
【発明の詳細な説明】
【技術分野】
【０００１】
本発明は、機密性を確保する記録紙の自動二重折りのり付け機に関し、特には、ファクシミリ装置で送信し排出されるＡ４サイズ等の定型記録紙たる信書を、自動的にのり付けして封緘する自動二重折りのり付け機の技術分野に属するものである。
【背景技術】
【０００２】
従来、記録紙を自動的にのり付けしつつ二重折りする簡便な装置はなく、これに関連し、機密を保持してファクシミリ装置で送信する二重紙として、特許文献１（特開平９−７１０６９号公報）に開示されたものがある。
【０００３】
すなわち、特許文献１には、「宛名記録領域（４）及び通信内容記録領域（５）を有する感熱記録紙（１）と、上記感熱記録紙（１）の表面に配置され、上記感熱記録紙（１）の通信内容記録領域（５）の透視を防止する被覆シート（２）と、上記被覆シート（２）を上記感熱記録紙（１）の表面に剥離可能に接着し、上記被覆シート（２）が一たび剥離された後はそれを再び接着することをしない、接着剤層（３）と、から成り、上記感熱記録紙（１）の上記通信内容記録領域（５）の裏面には、上記通信内容記録領域（５）に記録された通信内容がその裏面側から判読されることを防止する、緻密な模様（６）が印刷されている、秘密保持可能なファクシミリ用二重紙。」が記載されている（請求項１、符号は原文のとおり）。
【先行技術文献】
【特許文献】
【０００４】
【特許文献１】特開平９−７１０６９号公報
【発明の概要】
【発明が解決しようとする課題】
【０００５】
前記従来例は、現在一般的に汎用されているＡ４サイズ等の定型記録紙（普通紙）には適用されず不便である。すなわち、従来例の感熱記録紙（１）は、基紙の上に例えば２種類の化合物が塗布されて成るものであり、記録時には、２種類の化合物の一方が熱で溶けて他方と反応し、発色させる。接着剤層（３）は、被覆シート（２）を感熱記録紙（１）の表面に剥離可能に接着するが、一たび剥離された後はそれを再び接着するようなことはしない構成が必要である上、当該感熱記録紙（１）の裏面には、通信内容記録領域（５）に記録された通信内容を裏面から判読されないようにするため緻密な模様（６）を印刷する必要があって、手間やコストがかかる。
【０００６】
したがって、本発明の目的は、内容の機密性を保持して記録紙（普通紙）を送信する過程で、自動的にのり付けしつつ二重折りに封緘して低コストで機密化を図ること、とりわけファクシミリ装置で送信し排出された定型記録紙たる信書を、機密性を保持して送信相手に簡単且つ確実に届けることを実現した、記録紙の自動二重折りのり付け機を提供することである。
【課題を解決するための手段】
【０００７】
課題を解決するための手段として、請求項１に記載の記録紙の自動二重折りのり付け機は、筐体１の前面２に吸込口３、後面４に排出口６が開口され、筐体１の内部に設置されたモーターＭで駆動する各駆動ローラー１０、２０、４０が、ベルトＢを介し記録紙９の進行方向Ｓと同一方向に回転されて、吸込口３から記録紙９が吸い込まれ、二重折りの封緘状態で記録紙９を排出自在な自動二重折りのり付け機であって、
ａ）前記吸込口３の内側の下方で、入口駆動ローラー１０が筐体１の左右内側面７０、８０に軸支されていると共に、その入口駆動ローラー１０の直上位置で、記録紙９を挟んで滑動する入口圧接ローラー１１が筐体１の左右内側面７０、８０に軸支され、逆方向Ｔに移送される記録紙９の先端９０を感知して一時停止自在な感知部６０が、前記入口圧接ローラー１１の上部に設置されていること、
ｂ）前記入口駆動ローラー１０の先方に、第２駆動ローラー２０が筐体１の左右内側面７０、８０に軸支されていると共に、その第２駆動ローラー２０の左右の両端２０ａ、２０ｂの直上位置Ｐに、移送された前記記録紙９の左右両端９１、９２の上面９３をのり付け自在なのり付け器Ｎが設置され、当該のり付け器Ｎより上方位置で、記録紙９を移送する第２圧接ローラー２１が筐体１の左右内側面７０、８０に軸支されていること、
ｃ）前記排出口６の内側の下方で、出口駆動ローラー４０が筐体１の左右内側面７０、８０に軸支されていると共に、その出口駆動ローラー４０の直上位置で、上下方向に移動して記録紙９の挟み込みが自在な出口圧接ローラー４１が筐体１の左右内側面７０、８０に軸支されていること、
ｄ）排出口６付近の筐体１の内側面に、記録紙９をやや上向きに誘導するガイド体Ｇが設置されていること、
ｅ）筐体１の吸込口３と排出口６に対し平行配置の前記各ローラー１０、１１、２０、２１、４０、４１を介して、吸込口３から吸い込まれた記録紙９は、その両端９１、９２がのり付け器Ｎでのり付けされて進み、ガイド体Ｇに誘導されて筐体１の後面４内で逆方向Ｔに移送され、感知部６０に当該記録紙９の先端９０が接触した際、駆動ローラー１０、２０、４０の回転は一時停止し、出口圧接ローラー４１が下方に移動されて出口駆動ローラー４０との間で当該記録紙９は中途で挟み込まれた後、駆動ローラー１０、２０、４０が再駆動され、記録紙９は二重に折り畳まれつつ、のり付け封緘されて排出口６から排出される構成である。
【０００８】
請求項２に記載の記録紙の自動二重折りのり付け機は、前記筐体１の吸込口３から排出口６に至る側面７、８の長さが、Ａ４サイズの定型記録紙９の縦方向の長さの半分より若干長く形成されている。
【０００９】
請求項３に記載の記録紙の自動二重折りのり付け機は、前記第２駆動ローラーと２０出口駆動ローラー４０との間に、補助駆動ローラー３０が筐体１の左右内側面７０、８０に軸支されていると共に、その補助駆動ローラー３０の直上位で置筐体１の左右内側面７０、８０に軸支された補助中間ローラー３２、及び同補助中間ローラー３２の直上位置で筐体１の左右内側面７０、８０に軸支された補助圧接ローラー３１との間で、記録紙９が移送自在に構成されている。
【００１０】
請求項４に記載の記録紙の自動二重折りのり付け機は、前記出口圧接ローラー４１が、その両端４１ａ、４１ｂに歯車４２が設けられ、独立設置の第２モーターＭ２により駆動自在で、且つ筐体１の左右内側面７０、８０の上下方向に形成されたスライド溝７１、８１に軸支されていると共に、筐体１の後面内側面５に上下方向にラック５０が形成され、第２駆動モーターの駆動Ｍ２によって、前記出口圧接ローラー４１の歯車４２がラック５０に噛み合い当該出口圧接ローラー４１が上下方向に移動され、出口駆動ローラー４０との間で記録紙９が挟み込み自在である。
【００１１】
請求項５に記載の記録紙の自動二重折りのり付け機は、前記のり付け器Ｎの交換自在な窓部７２、８２が筐体１の左右の側面７、８に設けられており、テープ状等で成るのりを備えたのり付け器Ｎが、前記窓部７２、８２を介して交換自在である。
【００１２】
請求項６に記載の記録紙の自動二重折りのり付け機は、前記ガイド体Ｇが、筐体１内で移送される記録紙９の左右両端９１、９２の下面９４を受けて誘導可能なように筐体１の左右内側面７０、８０に一対、それぞれ内向きに凸設され、且つ出口駆動ローラー４０の近傍でやや上向きに湾曲形成されている。
【００１３】
請求項７に記載の記録紙の自動二重折りのり付け機は、前記左右一対のガイド体Ｇ、Ｇが、それぞれ内方に延びるラック１０１付き水平腕部１００に接続され、前記左右一対の水平腕部１００、１００は、中央に設置された中央歯車１０２に螺合されており、記録紙９の移送時に、中央歯車１０２の回転又は水平腕部１００の外方への移動によって、左右一対のガイド体Ｇ、Ｇが記録紙９の外方へ退避自在に構成されている。
【００１４】
請求項８に記載の記録紙の自動二重折りのり付け機は、前記左右一対のガイド体Ｇ、Ｇが、それぞれ内方に延びるＬ字状の腕部１０３の外端１０４に設けられ、各Ｌ字状腕部１０３の内端１０５は共通の中央ピン１０７に遊動自在に連結され、当該Ｌ字状腕部１０３の折曲点１０８が筐体１の左右の内側面７、８にピン１０９で連結されており、記録紙９の移送時に、中央ピン１０７の前方への移動によって、左右一対のガイド体Ｇ、Ｇが記録紙９の外方へ退避自在に構成されている。
【００１５】
請求項９に記載の記録紙の自動二重折りのり付け機は、前記左右一対のガイド体Ｇ、Ｇが、それぞれ上方の固定ガイド体２００と下方の可動ガイド体２０１の上下２分割で成り、前記固定ガイド体２００は、内側に湾曲部２０２を備えて筐体１の後面内側面５に設置され、前記可動ガイド体２０１は、内側に湾曲部２０３を備えて出口圧接ローラー４１の左右両端４１ａ、４１ｂ同士を繋ぐ連結金具２０５に設置され、出口圧接ローラー４１が上方に位置するとき、可動ガイド体２０１の湾曲部２０３と固定ガイド体２００の湾曲部２０２に誘導されて記録紙９は逆方向Ｔに移送され、一時停止後に、出口圧接ローラー４１と可動ガイド体２０１が下方に同時移動されて筐体１の排出口６が開かれ、出口駆動ローラー４０との間で挟み込まれた記録紙９は二重に折り畳まれつつ、のり付け封緘されて排出口６から排出自在に構成されている。
【００１６】
請求項１０に記載の記録紙の自動二重折りのり付け機は、前記筐体１の吸込口３がファクシミリ装置の排出口に隣接する配置で、当該筐体１が設置される。
【発明の効果】
【００１７】
本発明の記録紙の自動二重折りのり付け機は、請求項１のように、筐体前面の吸込口に対し平行な入口圧接ローラーと入口駆動ローラーが、上下２段配置で吸込口の内側の筐体に軸支されていると共に、筐体後面の排出口に対し平行な出口圧接ローラーと出口駆動ローラーが、上下２段配置で排出口の内側の筐体に軸支され、モーターで駆動する前記下方の入口駆動ローラーと出口駆動ローラーが、ベルトを介し記録紙の進行方向と同一方向に回転自在で、のり付け器とガイド体と感知部が筐体内に設置されて成るので、吸込口から吸い込まれた記録紙（Ａ４等の普通紙）は、その両端が前記のり付け器でのり付けされて進み、ガイド体に誘導されて筐体内で逆方向に移送され、感知部に当該記録紙の先端が接触した際、駆動ローラーの回転は一時停止し、出口圧接ローラーが下方に移動されて出口駆動ローラーとの間で当該記録紙は中途で挟み込まれた後、駆動ローラーが再駆動され、記録紙は二重に折り畳まれつつ、のり付け封緘されて排出口から排出され、機密性が確保された記録紙たる信書の受信者への到達が実現され便利である。
【００１８】
また、筐体の吸込口から排出口に至る側面の長さが、Ａ４サイズの定型記録紙の縦方向の長さの半分より若干長く形成されているため（請求項２）、当該Ａ４サイズの定型記録紙が筐体の中で反転しやすい上、全体のコンパクトサイズ化が実現された。
【００１９】
さらに、請求項３のように、第２駆動ローラーと出口駆動ローラーとの間に軸支された補助駆動ローラーがあり、その直上位置に軸支された補助中間ローラー及び同補助中間ローラーの直上位置に軸支された補助圧接ローラーとの間で、記録紙が進行方向Ｓ又は逆方向Ｔへと確実に移送される。
【００２０】
そして、出口圧接ローラーは、両端に歯車が設けられ、第２モーターにより駆動自在で、筐体の左右内側面のスライド溝に軸支されていると共に、筐体の後面内側面にラックが形成されているから（請求項４）、第２駆動モーターの駆動によって、出口圧接ローラーの歯車がラックに噛み合い当該出口圧接ローラーが上下方向に移動され、出口駆動ローラーとの間で記録紙をしっかりと挟み込み、封緘状態の記録紙の排出が達成される。
【００２１】
しかも、筐体の左右の側面に、のり付け器の交換自在な窓部が設けられているから（請求項５）、テープ状等で成るのりを備えたのり付け器が、前記窓部を介して交換でき便利である。
【００２２】
その上、ガイド体が、筐体内で移送される記録紙の左右両端の下面を受けて誘導可能なように筐体の左右内側面に内向きに凸設され、且つ出口駆動ローラーの近傍でやや上向きに湾曲形成されているので（請求項６）、筐体内で安定して記録紙を進行方向に移送すると共に、反転して逆方向に移送する際に支障がない。
【００２３】
また、左右一対のガイド体が、ラック付き水平腕部に接続され、中央歯車の回転や水平腕部の外方移動により、記録紙の外方へガイド体が退避自在な退避機構（請求項７）や、ガイド体がＬ字状腕部の外端に設けられ、内端は中央ピンに遊動自在で、中央ピンの移動により、ガイド体が記録紙の外方へ退避する退避機構（請求項８）を採用することで、当該ガイド体が邪魔になることなく、記録紙はスムーズに移送される。
【００２４】
あるいは、左右一対のガイド体を上下２分割し、上方は固定ガイド体で筐体に固定し、下方の可動ガイド体は、出口圧接ローラーの左右両端同士を繋ぐ連結金具に設置した機構によれば（請求項９）、出口圧接ローラーの下降時に可動ガイド体が同時下降するので、動力源を増やすことなく筐体の排出口が開かれ、二重に折り畳まれてのり付け封緘された記録紙を、排出口から確実に排出できて合理性である。
【００２５】
上記筐体は、その吸込口がファクシミリ装置の排出口に隣接する配置で設置することにより（請求項１０）、既存のファクシミリ装置の外付け機として簡単に使用できる利便性に優れている。
【図面の簡単な説明】
【００２６】
【図１】本発明の記録紙の自動二重折りのり付け機の主要な内部構造を示した斜視図である。
【図２】記録紙の自動二重折りのり付け機の説明図である。
【図３】のり付け要領を示した斜視図である。
【図４】出口圧接ローラーの仕組みを示した斜視図である。
【図５】Ａ、Ｂ、Ｃは、記録紙の異なる一時停止位置を示した説明図である。
【図６】Ａは記録紙の吸込みとのり付け、Ｂは同記録紙の折り返し要領を示した説明図である。
【図７】Ａは記録紙の逆方向への移送、Ｂは同記録紙の一時停止要領を示した説明図である。
【図８】Ａは記録紙の二重折り開始、Ｂは同記録紙の排出要領を示した説明図である。
【図９】記録紙の排出の最終段階を示した説明図である。
【図１０】Ａ、Ｂはガイド体の退避機構の動作要領を示した説明図である。
【図１１】Ａ、Ｂはガイド体の異なる退避機構の動作要領を示した説明図である。
【図１２】出口圧接ローラーと可動ガイド体の構造を示した斜視図である。
【図１３】Ａ、Ｂは可動ガイド体の動作要領を示した説明図である。
【発明を実施するための最良の形態】
【００２７】
本発明の記録紙の自動二重折りのり付け機の好適な実施形態を、以下図面にしたがって説明する。
【００２８】
本実施形態の自動二重折りのり付け機の基本構造を、図１に示した。前面２に吸込口３、後面４に排出口６を有する筐体１の中に、駆動ローラー１０、２０・・・等のローラーやのり付け器Ｎ等が設置され、吸込口３から吸い込まれた普通紙の定型記録紙９が、二重折りの封緘状態で排出口６から排出されるものである（図６、図９参照）。
【００２９】
筐体１は、幅が２２０ｍｍ、奥行きが１５４ｍｍ、高さが３０ｍｍのコンパクトサイズの箱型に形成されている。すなわち、この奥行は、筐体１の吸込口３から排出口６に至る側面７、８の長さであり、Ａ４サイズの定型記録紙９の縦方向の長さ＝２９７ｍｍの半分（１４８．５ｍｍ）より若干長く形成されている。前記筐体１の幅は、Ａ４サイズの定型記録紙９の横方向の長さ２１０ｍｍより若干長く形成されている。
【００３０】
そして、当該筐体１の前面２に、Ａ４サイズの定型記録紙９を吸い込めるように、吸込口３（幅×高さ＝２１７ｍｍ×１００ｍｍ）が開口して形成され、同様に、Ａ４サイズの定型記録紙９を排出できるように、後面４に排出口６（幅×高さ＝２１７ｍｍ×１００ｍｍ）が開口して形成されている。
【００３１】
前記吸込口３の内側の下方に、φ＝１０ｍｍで全長＝２１５ｍｍの円筒状の入口駆動ローラー１０の両端が、筐体１の左右の内側面７０、８０に軸支されている（詳細図は省略）。その入口駆動ローラー１０の上方の直上位置で、記録紙９を挟んで滑動する円筒状の入口圧接ローラー１１（φ＝１０ｍｍで全長＝２１５ｍｍ）の両端が、筐体１の左右内側面７０、８０に軸支されている。そして、逆方向Ｔに移送される記録紙９の先端９０を感知して一時停止自在な感知部６０が、前記入口圧接ローラー１１の上部に設置されている。
【００３２】
感知部６０は、図２に示したように、筐体１の前面２の幅寸より若干長く、左右両端にレバー６１、６１を備えた棒状に形成されている。そして、入口圧接ローラー１０の上部における筐体１の左右側面７、８が、水平方向に開口された長円形状の貫通孔７３、８３に形成され、前記棒状感知部６０の両端のレバー６１、６１が前記貫通孔７３、８３に各々突き出されている。よって、当該レバー６１を移動することで、棒状の感知部６０が前後に移動し、逆送される記録紙９の先端９０の位置を感知する位置を変動することができる。
【００３３】
すなわち、図５Ａのように、感知部６０のレバー６１を右端にセットした場合は、後述の逆方向Ｔに移送されるＡ４版の記録紙９の上半部をなす上面９３の先端９０が、当該記録紙９の下半部をなす下面９４の終端９５より長さｋの範囲分だけ若干突き出て残した状態で、記録紙９は最終的に二重に折り畳まれ排出される。よって、このｋ範囲に印字される受信者名や送信者名を表示することができ、封緘された当該記録紙９（信書）を受信者に確実に届けられる。
【００３４】
図５Ｂのように、感知部６０のレバー６１を中央にセットした場合は、逆送されるＡ４版の記録紙９の上半部をなす上面９３の先端９０が、当該記録紙９の下半部をなす下面９４の終端９５と同じになり、記録紙９は完全な封緘状態で、二重に折り畳まれ排出される。
【００３５】
また、図５Ｃのように、感知部６０のレバー６１を左端にセットした場合は、逆送されるＡ４版の記録紙９の上半部をなす上面９３の先端９０が、当該記録紙９の下半部をなす下面９４の終端９５より長さｋの範囲分だけ若干引いた状態で、最終的には二重に折り畳まれ排出される。前記図５Ａのように、このｋ範囲に印字される受信者名や送信者名を表示することができる。
【００３６】
上述した入口駆動ローラー１０の同一レベルの先方に、円筒状の第２駆動ローラー２０（φ＝１０ｍｍで全長＝２１５ｍｍ）が筐体１の左右内側面７０、８０に軸支されている。
【００３７】
その第２駆動ローラー２０の左右の両端２０ａ、２０ｂの直上位置Ｐに、移送された前記記録紙９の左右両端９１、９２の上面９１ａ、９２ａをのり付け自在な左右のテープのりｎ、ｎを備えたのり付け器Ｎが設置されている（図３）。本実施形態の場合、のり付け器Ｎはテープ状のりが好適であるが、これに限定されず液状のり等であってもよい。そして、当該のり付け器Ｎより上方の直上位置で、記録紙９を移送する円筒状の第２圧接ローラー２１（φ＝１０ｍｍで全長＝２１５ｍｍ）が筐体１の左右内側面７、８に軸支されている。
【００３８】
前記のり付け器Ｎの位置に対応する筐体１の左右の側面７、８の位置に、窓部７２、８２が設けられている。よって、テープ状等で成るのりを備えたのり付け器Ｎが、前記窓部７２、８２を介して交換自在である。
【００３９】
上述の第２駆動ローラーと、後述する２０出口駆動ローラー４０との間に、円筒状の補助駆動ローラー３０（φ＝１０ｍｍで全長＝２１５ｍｍ）の両端が、筐体１の左右内側面７０、８０に軸支されている。この補助駆動ローラー３０を駆動するモーターＭが、当該補助駆動ローラー３０の端部近傍の筐体１内に設置されている（図２）。
【００４０】
前記の補助駆動ローラー３０の直上位置において、筐体１の左右内側面７０、８０に軸支された円筒状の補助中間ローラー３２（φ＝１０ｍｍで全長＝２１５ｍｍ）があり、また同補助中間ローラー３２の直上位置で、同様に筐体１の左右内側面７０、８０に軸支された円筒状の補助圧接ローラー３１（φ＝１０ｍｍで全長＝２１５ｍｍ）との間で、記録紙９が移送自在とされている。
【００４１】
補助駆動ローラー３０の同一レベルの先方で、筐体１の排出口６の内側の下方位置に、円筒状の出口駆動ローラー４０（φ＝１０ｍｍで全長＝２１５ｍｍ）の両端が、筐体１の左右内側面７０、８０に軸支されている。この出口駆動ローラー４０と上記入口駆動ローラー１０との間でベルトＢが巻装され、よって、その中間の第２駆動ローラー２０及び補助駆動ローラー３０も前記ベルトＢで動力が伝達可能となっている。本実施形態では、前記のように補助駆動ローラー３０を駆動するモーターＭの作動により、各駆動ローラー１０、２０、３０、４０が同一方向に一斉に駆動される構成となっている（図１等参照）。
【００４２】
この出口駆動ローラー４０の直上位置で、上下方向に移動して記録紙９の挟み込みが自在な出口圧接ローラー４１の両端（４１ａ、４１ｂ）が、同様に筐体１の左右内側面７０、８０に軸支されている。当該出口圧接ローラー４１の両端４１ａ、４１ｂには、歯車４２が回転方向に複数形成されている。伸縮自在なベルトＢを介して、筐体１内で独立設置の第２モーターＭ２により、出口圧接ローラー４１は独立に駆動自在である（図４）。
【００４３】
出口駆動ローラー４０の直上位置における筐体１の左右内側面７０、８０の上下方向に、スライド溝７１、８１が形成され、このスライド溝７１、８１に出口圧接ローラー４１の左端４１ａと右端４１ｂは軸支されている。と共に、筐体１の後面４の左右いずれかの内側面５に、上下方向にラック５０が形成されている。よって、第２駆動モーターの駆動Ｍ２によって、前記出口圧接ローラー４１の歯車４２がラック５０に噛み合って当該出口圧接ローラー４１が上下方向に移動され、出口駆動ローラー４０との間で記録紙９が挟み込み自在に構成されている（図１３参照）。
【００４４】
筐体１の排出口６付近の左右内側面７０、８０に、記録紙９の先端９０をやや上向きに誘導するガイド体Ｇ、Ｇが設置されている。このガイド体Ｇ、Ｇは、筐体１内で移送される記録紙９の左右両端９１、９２の下面９４を受けて誘導可能なように筐体１の左右内側面７０、８０に内向きに凸設され、且つ出口駆動ローラー４０の近傍でやや上向きに湾曲して形成されている（図６、図４）。
【００４５】
次に、記録紙９の移送途中で、ガイド体Ｇを退避する機構について説明する。
【００４６】
図１０は、歯車とラックを使用した退避機構である。左右一対のガイド体Ｇ、Ｇは、それぞれ内方に１４０ｍｍ延びるラック１０１付きの水平腕部１００に接続されている。各ラック１０１は、相互に対向するように各水平腕部に１００に形成されている。ガイド体Ｇ、Ｇ間の中央位置における筐体１の上面（図示は省略）に、中央歯車１０２が取り付けられ、前記左右一対の水平腕部１００、１００は、中央歯車１０２に螺合されている。
【００４７】
したがって、記録紙９の折り返し移送時に、図示を省略したモーターの作動で中央歯車１０２を回転させれば、左右一対のガイド体Ｇ、Ｇが記録紙９の外方へ退避される。或いは、いずれか一方の水平腕部１００を外方へ移動させることによっても、左右一対のガイド体Ｇ、Ｇは記録紙９の外方へ退避され、記録紙９が移送される際に当該ガイド体Ｇ、Ｇが邪魔にならない。
【００４８】
図１１は、異なる退避機構例を示している。
【００４９】
左右一対のガイド体Ｇ、Ｇが、それぞれ内方に延びるＬ字状の腕部１０３の外端１０４に一体化して設けられている。当該Ｌ字状腕部１０３の折曲点１０８は、筐体１の左右の内側面７、８にピン１０９で連結されている。また、Ｌ字状腕部１０３の内端１０５には、長円形状の貫通孔１０６が形成されている。
【００５０】
一方、ガイド体Ｇ、Ｇ間の中央位置における筐体１の上面（図示は省略）に、中央ピン１０７と一体となった基台１０７ａが前後方向に移動自在に取り付けられている。かくして、各Ｌ字状腕部１０３の内端１０５（貫通孔１０６）は、共通の中央ピン１０７に遊動自在に連結されているので、記録紙９の移送時に、中央ピン１０７（基台１０７ａ）の前方への移動により、左右一対のガイド体Ｇ、Ｇは、ピン１０９を支点として記録紙９の外方へ退避自在になっている。
【００５１】
図１２と図１３は、ガイド体Ｇの異なる実施形態を示している。
【００５２】
各ガイド体Ｇ、Ｇはそれぞれ上下に２分割され、ガイド体の退避に伴う独立の動力源は不要のタイプである。
【００５３】
すなわち、左右一対のガイド体Ｇ、Ｇは、それぞれ上方の固定ガイド体２００と下方の可動ガイド体２０１の上下２分割で成り、前記固定ガイド体２００は、内側に斜め下方向きの湾曲部２０２を備えて筐体１の後面内側面５に固定されている。可動ガイド体２０１は、内側に斜め上方向きの湾曲部２０３を備えて、出口圧接ローラー４１の左右両端４１ａ、４１ｂ同士を繋ぐ横長の連結金具２０５に設置され、上下方向に移動自在となっている。図中符号２０６は、前記連結金具２０５の上下移動を維持する支持部材で、筐体１の後面内側面５に設置されている。
【００５４】
出口圧接ローラー４１と出口駆動ローラー４０は、それぞれ両端が分割されている。出口圧接ローラー４１は、中央のローラー４１ｃとその両端で分割された左右のローラー４１ｄ、４１ｅで成り、出口駆動ローラー４０は、中央のローラー４０ｃとその両端で分割された左右のローラー４０ｄ、４０ｅで成る。かくして、中央のローラー４１ｃ（４０ｃ）と左右のローラー４１ｄ、４１ｅ（４０ｄ、４０ｅ）の隙間に、前記上下の固定ガイド体２００と可動ガイド体２０１が各々設置されている。
【００５５】
したがって、図１３Ａに示した出口圧接ローラー４１が上方に位置するとき、可動ガイド体２０１の湾曲部２０３と固定ガイド体２００の湾曲部２０２に誘導されて、記録紙９は逆方向Ｔに移送される。そして、当該記録紙９が一時停止された後（図５参照）、図１３Ｂに示したように、出口圧接ローラー４１と共に可動ガイド体２０１が下方に同時に移動し、記録紙９が排出される筐体１の排出口６の開口状態が確保される。よって、出口駆動ローラー４０との間で挟み込まれた記録紙９は、二重の折り畳み状態でのり付け封緘され、排出口６から排出する際に支障がない。
【００５６】
以下に、当該記録紙の自動二重折りのり付け機の使用方法について説明する。
【００５７】
筐体１の吸込口３から進行方向Ｓに吸い込まれた記録紙９は、その両端９１、９２がのり付け器Ｎでのり付けされて前方へ進む（図６Ａ、図３）。当該記録紙９は、ガイド体Ｇに誘導されて筐体１の後面４内で逆方向Ｔに移送される（図６Ｂ、図７Ａ、図４）。
【００５８】
そして、感知部６０に当該記録紙９の先端９０が接触した際、駆動ローラー１０、２０、４０の回転は一時停止する（図７Ｂ、図５）。と同時に、出口圧接ローラー４１が下方に移動されて出口駆動ローラー４０との間で当該記録紙９は中途で挟み込まれると（図８Ａ）、駆動ローラー１０、２０、３０、４０が再駆動され、記録紙９は二重に折り畳まれつつ、のり付け封緘されて排出口６から排出される（図８Ｂ、図９）。
【００５９】
上述した自動二重折りのり付け機は、その筐体１の吸込口３が、図示を省略したファクシミリ装置の排出口に隣接する配置に設置する形態で好適に実施される。もちろん、当該自動二重折りのり付け機を単独で使用する実施形態も採用される。
【００６０】
以上に本発明の実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００６１】
１      筐体
１０    入口駆動ローラー
１１    入口圧接ローラー
２０    第２駆動ローラー
２１    第２圧接ローラー
３０    補助駆動ローラー
３１    補助圧接ローラー
３２    補助中間ローラー
４０    出口駆動ローラー
４１    出口圧接ローラー
４２    歯車
２      前面
３      吸込口
４      後面
５      後面内側面
５０    ラック
６０    感知部
６１    レバー
６      排出口
７      左側面
７１    スライド溝
７２    窓部
７３    貫通孔
８      右側面
８１    スライド溝
８２    窓部
８３    貫通孔
９      記録紙
９０    先端
９１    左端
９２    右端
９３    上面
９４    下面
１００  水平腕部
２００  固定ガイド体
２０１  可動ガイド体
２０５  連結金具
Ｓ      進行方向
Ｔ      逆方向
Ｇ      ガイド体
Ｎ      のり付け器
Ｂ      ベルト
Ｍ      モーター